(57)【要約】【課題】デザイン性が良好で、しかも、複数の装置を結合する構造が堅牢で、かつ、簡素な、装置の隣接増設構造を提供する。【解決手段】（Ｃ）において親装置１の一対の溝１ｃに一対の増設用金具２が挿入固定されると、（Ａ）の状態に至る。各増設用金具は、基本板２ａと、基本板の一端側にスライド可能に保持されているフック２ｂと、他端側にスライド可能に保持されているねじ受け板２ｃとを有する。子装置３の一対の溝（図示せず）に一対の増設用金具２が挿入固定される。親装置の上面に子装置が積み重ねられると、（Ｄ）の状態に至る。この状態では、（Ｅ）に示されるように、親装置に挿入固定されている増設用金具のフックの突起２ｂ２が、子装置に挿入固定されている増設用金具のフック受け部２ａ２に係合する。子装置の一対の貫通穴３ｄからねじとドライバを挿入し、ドライバを回転すると、ねじは子装置におけるねじ穴２ａ５ｂと親装置におけるねじ穴２ｃ２にねじ込まれる。したがって、親装置と子装置は、結合される。【選択図】  図１
2008066617.tif 000002
【特許請求の範囲】
【請求項１】
複数の同一寸法の装置を隣接して結合するための増設構造において、
前記各装置は、溝と、ねじ及びドライバの挿通用の貫通穴とを有し、
前記溝には、増設用金具が挿入固定され、
前記増設用金具は、一端側に突出収納可能に保持されているフックと、１つ又は２つのフック受け部とを有し、他端側に突出収納可能に保持されているねじ受け板と、第１のねじ穴と、第２のねじ穴とを有し、
前記ねじ受け板は、第３のねじ穴を有し、
前記フックは、突出している状態では、隣接する前記装置に挿入固定されている前記増設用金具の前記一方のフック受け部に係合し、
前記ねじ受け板が突出している状態では、前記ねじは隣接する前記装置に挿入固定されている前記増設用金具の第２のねじ穴と前記第３のねじ穴とに前記ドライバによってねじ込まれ、
前記ねじ受け板が収納されている状態では、前記ねじは前記第１のねじ穴と前記第３のねじ穴とに前記ドライバによってねじ込まれることを特徴とする装置の隣接増設構造。
【請求項２】
前記各装置は、両側付近に前記溝と前記貫通穴とをそれぞれ有することを特徴とする請求項１記載の装置の隣接増設構造。
【請求項３】
前記フックは、突出収納のときにガイドされるための長穴と、隣接する前記装置に挿入固定されている前記増設用金具の前記一方のフック受け部に係合するための突起とを有することを特徴とする請求項１又は２記載の装置の隣接増設構造。
【請求項４】
前記フックは、突出収納のときにガイドされるための長穴と、前記装置に挿入固定されている前記増設用金具の前記他方のフック受け部に、前記フックが収納されている状態で係合するための第１の突起と、前記フックが突出している状態で係合するための第２の突起とを有することを特徴とする請求項１又は２記載の装置の隣接増設構造。
【請求項５】
前記ねじ受け板は、略Ｌ字形状に折曲され、前記増設用金具の基本板に着脱可能に固定され、一端付近に前記第３のねじ穴を有することを特徴とする請求項１又は２記載の装置の隣接増設構造。
【請求項６】
前記各装置の両側に開口が形成され、前記開口を介して前記増設用金具に取付用金具が固定され、前記取付用金具は、１枚の板を直角に折曲されて製作され、設備への取付部と前記増設用金具への固定部とから構成されることを特徴とする請求項２記載の装置の隣接増設構造。
【発明の詳細な説明】
【技術分野】
【０００１】
本発明は、装置の隣接増設構造に関し、詳しく述べると、例えば、複数の合成樹脂成形製品を積み重ねて結合するときに前記各製品の間に必要な付設構造に関する。
【背景技術】
【０００２】
第１の従来技術の装置の上下増設構造について図４を参照して説明する。
【０００３】
図４（Ａ）に示されるように、親装置３１は、直方体の箱状に構成される。増設用金具３２は、長方形の板状に構成される。増設用金具３２の後辺の中央付近の２箇所と左右両辺の奥隅付近には、合計４個のフック３２ａが設けられる。また、増設用金具３２の前辺の中央付近の２箇所には、ねじ固定用板状部３２ｂが設けられる。更に、増設用金具３２の４隅付近には、ねじを挿通するための穴３２ｃが設けられる。
【０００４】
増設用金具３２を図４（Ａ）の下方向の矢印に示されるように、親装置３１の上面に載置し、４本のねじ（図示せず）によって親装置３１に固定する。
【０００５】
図４（Ｂ）に示されるように、子装置３３は、親装置３１と同一寸法の直方体の箱状に構成される。子装置３３には、増設用金具３２の４個のフック３２ａに対応する部位にフック係合部（図示せず）が設けられる。また、子装置３３の前面下部の中央付近の２箇所には、ねじ穴３３ａが設けられる。
【０００６】
図４（Ｃ）に示されるように、子装置３３の各フック係合部を増設用金具３２の各フック３２ａに係合するように、子装置３３を増設用金具３２の上に載置する。また、２本のねじ３４を増設用金具３２の２つのねじ固定用板状部３２ｂに挿入して子装置３３の２つのねじ穴３３ａにねじ込む。すると、子装置３３は、親装置３１と結合される。
【０００７】
両装置３１，３３の間に、増設用金具３２が見える。
【０００８】
第２の従来技術の装置の左右増設構造について図５を参照して説明する。
【０００９】
図５（Ａ）に示されるように、親装置４１は、合成樹脂から製造され、直方体の箱状に構成される。親装置４１の一側面には、３箇所にフック係合孔４１ａが形成される。
【００１０】
子装置４２は、合成樹脂から製造され、直方体の箱状に構成される。子装置４２の一側面には、３箇所にフック４２ａが突出するように形成される。
【００１１】
図５（Ｂ）に示されるように、子装置４２は、親装置４１と結合される。
【００１２】
両装置４１，４２の間に、増設用金具が使用されていないため、デザイン性は損われない。しかし、各フック４２ａと各フック係合孔４１ａは、モールド製品の一部であるため、構造の強度が不足する。
【００１３】
第３の従来技術の連結装置について説明する（例えば、特許文献１参照。）。
【００１４】
連結器の板部材は、四対のＬ字型爪と一対の固定片を有する。連結されるべき２つの機器の連結対象面に各Ｌ字型爪をはめ込んだ後、各固定片を各機器にねじ止めする。
【００１５】
第４の従来技術の段重ね式筐体簡易連結金具について説明する（例えば、特許文献２参照。）。
【００１６】
上側装置筐体の足と下側装置筐体の足受けを位置決め案内として、両筐体を積み重ねる。すると、上側装置筐体のＬ形金具が下側装置筐体のＵ形金具に当接するので、固定用ねじをＵ形金具の穴とＬ形金具の穴に挿通して締めると、両筐体は連結固定される。
【００１７】
第５の従来技術として収納箱の連結構造について説明する（例えば、特許文献３参照。）。
【００１８】
収納箱において、把手を把手用切欠部に収納すると、係合爪片が下方に位置する他の収納箱の係合棒に係合する。したがって、２つの収納箱は、連結される。把手を把手用切欠部から起立させると、係合爪片が係合棒との係合を解除する。したがって、２つの収納箱は、連結を解除される。
【００１９】
【特許文献１】実開昭６２−７０４８０号公報
【特許文献２】実開平４−１０３７６号公報
【特許文献３】特開２００２−２８４１６８号公報
【発明の開示】
【発明が解決しようとする課題】
【００２０】
前記第１〜第５従来技術は、次の欠点のいずれかを有する。
【００２１】
１．親装置と子装置を結合する増設用金具が外側から見えるので、両装置のデザイン性が低下する。
【００２２】
２．親装置と子装置を結合する構造の強度が弱い。
【００２３】
３．親装置と子装置を結合する構造が複雑である。
【００２４】
そこで、本発明は、前記諸従来技術の欠点を改良し、デザイン性が良好で、しかも、複数の装置を結合する構造が堅牢、かつ、簡素な、装置の隣接増設構造を提供しようとするものである。
【課題を解決するための手段】
【００２５】
本発明は、前記課題を解決するため、次の手段を採用する。
【００２６】
１．複数の同一寸法の装置１，３を隣接して結合するための増設構造において、前記各装置は、溝１ｃと、ねじ及びドライバの挿通用の貫通穴３ｄとを有し、前記溝には、増設用金具２が挿入固定され、前記増設用金具は、一端側に突出収納可能に保持されているフック２ｂと、１つ又は２つのフック受け部２ａ１，２ａ２とを有し、他端側に突出収納可能に保持されているねじ受け板２ｃと、第１のねじ穴２ａ５ａと、第２のねじ穴２ａ５ｂとを有し、前記ねじ受け板は、第３のねじ穴２ｃ２を有し、前記フックは、突出している状態では、隣接する前記装置に挿入固定されている前記増設用金具の前記一方のフック受け部２ａ２に係合し、前記ねじ受け板が突出している状態では、前記ねじは隣接する前記装置に挿入固定されている前記増設用金具の第２のねじ穴と前記第３のねじ穴とに前記ドライバによってねじ込まれ、前記ねじ受け板が収納されている状態では、前記ねじは前記第１のねじ穴と前記第３のねじ穴とに前記ドライバによってねじ込まれる装置の隣接増設構造。
【００２７】
２．前記各装置は、両側付近に前記溝と前記貫通穴とをそれぞれ有する前記１記載の装置の隣接増設構造。
【００２８】
３．前記フックは、突出収納のときにガイドされるための長穴２ｂ１と、隣接する前記装置に挿入固定されている前記増設用金具の前記一方のフック受け部に係合するための突起２ｂ２とを有する前記１又は２記載の装置の隣接増設構造。
【００２９】
４．前記フックは、突出収納のときにガイドされるための長穴と、前記装置に挿入固定されている前記増設用金具の前記他方のフック受け部２ａ１に、前記フックが収納されている状態で係合するための第１の突起２ｂ２と、前記フックが突出している状態で係合するための第２の突起２ｂ３とを有する１又は２記載の装置の隣接増設構造。
【００３０】
５．前記ねじ受け板は、略Ｌ字形状に折曲され、前記増設用金具の基本板２ａに着脱可能に固定され、一端付近に前記第３のねじ穴を有する前記１又は２記載の装置の隣接増設構造。
【００３１】
６．前記各装置の両側に開口が形成され、前記開口を介して前記増設用金具に取付用金具４が固定され、前記取付用金具は、１枚の板を直角に折曲されて製作され、設備への取付部４ａと前記増設用金具への固定部４ｂとから構成される前記２記載の装置の隣接増設構造。
【発明の効果】
【００３２】
明細書の説明から明らかなように、本発明は、次の効果を奏する。
【００３３】
１．複数の装置を結合する増設用金具が外側から見えないので、全体の装置のデザイン性が向上する。
【００３４】
２．各装置を結合する増設用金具が、フックとねじ受け板とを有して構成されるので、結合構造が、堅牢で、かつ、安定性を有する。
【００３５】
３．増設用金具が各装置の溝に挿入固定されることによって、結合構造は、構成されるので、簡素で、しかも、コストが安価である。
【００３６】
４．ねじをドライバによって回転させると、複数の装置を容易に結合することができる。
【発明を実施するための最良の形態】
【００３７】
本発明の２つの実施例の装置の上下増設構造について説明する。
【実施例１】
【００３８】
本発明の実施例１について図１と図２を参照して説明する。
【００３９】
図１（Ａ）に示されるように、親装置１は、直方体の箱状に構成される。増設用金具２の詳細については、図２を参照して後述するが、親装置１の上面の左右両側に設けられた開口１ａ，１ｂから一対（左右）の増設用金具２のフック２ｂとねじ受け板２ｃの各先端部が突出している。左側の増設用金具２と右側の増設用金具２は、対称形に構成される。
【００４０】
図１（Ｂ）に示されるように、子装置３は、親装置１と同一寸法の直方体の箱状に構成される。子装置３の上面の左右両側には、開口３ａ，３ｂが設けられている。
【００４１】
親装置１を下面側から見ると、図１（Ｃ）に示されるように、親装置１の底部の左右両側の前面寄りに、一対（左右）の増設用金具２を挿入するための溝１ｃが設けられている。
【００４２】
子装置３を親装置１に結合する方法について説明する。
【００４３】
まず、親装置１の一対の溝１ｃに一対の増設用金具２をそれぞれ挿入して固定する。このとき、各フック２ｂと各ねじ受け板２ｃは、それぞれ図２（Ａ）に示されるように、基本板２ａから突出している。
【００４４】
次に、子装置３の一対の溝（図示せず）に一対の増設用金具２をそれぞれ挿入して固定する。このとき、子装置３は、増設最上の装置であるため、各フック２ｂと各ねじ受け板２ｃは、それぞれ図２（Ｄ）に示されるように、基本板２ａに収納されている。
【００４５】
続いて、子装置３の下面を親装置１の上面に対して、図１（Ａ）の一対のＬ字状の矢印方向に移動すると、図１（Ｄ）に示される状態に至る。この状態では、親装置１に固定されている各増設用金具２のフック２ｂは、子装置３に固定されている各増設用金具２のフック受け部２ａ２に係合している。
【００４６】
更に、この状態で子装置３の前面の両側下部に設けられている各貫通穴３ｄからねじ（図示せず）とドライバ（図示せず）を挿入する。そして、ドライバを回転すると、ねじは、子装置３に固定されている増設用金具２のねじ穴２ａ５ｂと、親装置１に固定されている増設用金具２のねじ受け板２ｃのねじ穴２ｃ２とにねじ込まれる。したがって、子装置３は、親装置１と結合される。
【００４７】
増設用金具２の詳細について図２を参照して説明する。
【００４８】
図２（Ａ）に示されるように、増設用金具２は、略長方形の基本板２ａと、基本板２ａの一端側に短辺と平行にスライド可能に保持されているフック２ｂと、基本板２ａの他端側に短辺と平行にスライド可能に保持されているねじ受け板２ｃとから構成される。
【００４９】
基本板２ａは、長辺の一端付近の上下両側にフック受け部２ａ１，２ａ２と、一方の短辺に折曲部２ａ３と、一方の短辺の上部付近にガイドねじ２ａ４とを有する。
【００５０】
また、基本板２ａは、他方の短辺に折曲部２ａ５を有し、折曲部２ａ５の上下両端付近にねじ穴２ａ５ａ，２ａ５ｂが設けられている。
【００５１】
フック２ｂは、スライド方向に長穴２ｂ１と、上端側部に突起２ｂ２と、下端側部に突起２ｂ３とを有する。
【００５２】
ねじ受け板２ｃは、図２（Ａ）〜（Ｃ）に示されるように、略Ｌ字形状に折曲され、中央付近に長方形状の凸部２ｃ１が形成され、上端付近にねじ穴２ｃ２が設けられている。
【００５３】
図２（Ａ）〜（Ｃ）は、フック２ｂとねじ受け板２ｃが基本板２ａから上方に突出している状態を示し、増設最上の装置以外の装置に固定されている増設用金具２は、この状態で使用される。フック２ｂの長穴２ｂ１の下端は、ガイドねじ２ａ４と当接し、フック２ｂの突起２ｂ３は、増設用金具２の上側のフック受け部２ａ１に当接する。フック２ｂの突起２ｂ２は、上位の子装置３に固定されている増設用金具２のフック受け部２ａ２に係合する。
【００５４】
フック２ｂとねじ受け板２ｃを基本板２ａに収納する方法について説明する。
【００５５】
フック２ｂを手指によって下方に押すと、突起２ｂ２がフック受け部２ａ１に当接するまで、フック２ｂは、ガイドねじ２ａ４と折曲部２ａ３にガイドされながらスライドして図２（Ｄ）に示される位置で停止する。
【００５６】
また、ねじ受け板２ｃを基本板２ａに固定するねじ２ａ６をドライバによって外した後に、ねじ穴２ｃ２が基本板２ａのねじ穴２ａ５ａに合致するまで、ねじ受け板２ｃを手指によって下方に押すと、ねじ受け板２ｃは、折曲部２ａ５にガイドされながらスライドして図２（Ｄ）に示される位置に至る。ねじ（図示せず）をドライバによってねじ穴２ａ５ａとねじ穴２ｃ２にねじ込み、ねじ受け板２ｃを基本板２ａに固定する。
【実施例２】
【００５７】
本発明の実施例２について図３と図２（Ｂ）を参照して説明する。実施例２についての説明は、実施例１と同様な点の説明を省略し、相違する点の説明を行う。
【００５８】
１９インチラック取付用金具４は、図３（Ｂ）に示されるように、左右の増設用金具２の外側に直付けされる。各ラック取付用金具４は、１枚の板を直角に折曲されて製作され、ラックへの取付部４ａと増設用金具２への固定部４ｂとから構成される。ラックへの取付部４ａの先端面の両側には、切り欠き部４ａ１が形成される。増設用金具２への固定部４ｂは、親装置１の左右両側部に設けられた開口（図示せず）を通して、図２（Ｂ）に示されるように、増設用金具２の基本板２ａに設けられている４つのねじ穴２ａ７にねじ（図示せず）によって固定される。
【００５９】
本実施例２におけるラック取付用金具４は、壁等の設備への取付用金具として利用することもできる。
【００６０】
本発明の実施例１，２においては、増設用金具２は、親装置１と子装置３にそれぞれ２個設けられている。親装置１と子装置３の寸法、強度又は構造によっては、増設用金具２を、親装置１と子装置３の各一方側（即ち、左側、右側、前側、後側、上側又は下側）又は中央にそれぞれ１個設けるように設計変更することができる。
【００６１】
また、本発明の実施例１における増設用金具２のフック受け部２ａ２は、必要不可欠である。しかし、フック受け部２ａ１は、単なる位置決め部材であるので、フック２ｂがガイドねじ２ａ４によって基本板２ａに対して突出位置と収納位置とに固定されれば、フック受け部２ａ１は、必要不可欠ではない。
【図面の簡単な説明】
【００６２】
【図１】本発明の実施例１の装置の上下増設構造の諸図であり、（Ａ）は親装置の斜視図、（Ｂ）は子装置の斜視図、（Ｃ）は同親装置の一対の溝に一対の増設用金具が挿入される前の状態の斜視図、（Ｄ）は同親装置と同子装置が結合されている状態の斜視図、（Ｅ）は同親装置の同増設用金具と同子装置の増設用金具が係合している状態の斜視図を、それぞれ示す。
【図２】同増設用金具の諸図であり、（Ａ）はフックとねじ受け板が基本板から突出している状態の斜視図、（Ｂ）は同増設用金具が同状態にあるときの正面図、（Ｃ）は同増設用金具が同状態にあるときの左側面図、（Ｄ）は同フックと同ねじ受け板が同基本板に収納されている状態の斜視図を、それぞれ示す。
【図３】本発明の実施例２の装置の上下増設構造の斜視図であり、（Ａ）は全体の斜視図、（Ｂ）は１９インチラック取付用金具が固定されている一対の増設用金具の斜視図を、それぞれ示す。
【図４】第１の従来技術の装置の上下増設構造の諸図であり、（Ａ）は親装置に増設用金具が固定される前の状態の斜視図、（Ｂ）は同親装置に固定されている同増設用金具に子装置が固定される前の状態の斜視図、（Ｃ）は同親装置と同子装置が結合されている状態の正面図を、それぞれ示す。
【図５】第２の従来技術の装置の左右増設構造の全体図であり、（Ａ）は親装置と子装置が結合される前の状態の斜視図、（Ｂ）は同親装置と同子装置が結合されている状態の平面図を、それぞれ示す。
【符号の説明】
【００６３】
１  親装置
１ａ  開口
１ｂ  開口
１ｃ  溝
２  増設用金具
２ａ  基本板
２ａ１  フック受け部
２ａ２  フック受け部
２ａ３  折曲部
２ａ４  ガイドねじ
２ａ５  折曲部
２ａ５ａ  ねじ穴
２ａ５ｂ  ねじ穴
２ａ６  ねじ
２ａ７  ねじ穴
２ｂ  フック
２ｂ１長穴
２ｂ２  突起
２ｂ３  突起
２ｃ  ねじ受け板
２ｃ１  凸部
２ｃ２  ねじ穴
３  子装置
３ａ  開口
３ｂ  開口
３ｄ  貫通穴
４  １９インチラック取付用金具
４ａ  取付部
４ａ１  切り欠き部
４ｂ  固定部
【図１】
2008066617.tif 000003
【図２】
2008066617.tif 000004
【図３】
2008066617.tif 000005
【図４】
2008066617.tif 000006
【図５】
2008066617.tif 000007